(57)【特許請求の範囲】
【請求項１】
１セットのリモート無線ヘッド（ＲＲＨ）内の複数のＲＲＨグループそれぞれについてユーザ機器（ＵＥ）密度を決定することと、
前記ＲＲＨグループの１つを、下式に従って選択することと、
【数１】
0005923004.tif 000003
ここで、αが前記各ＲＲＨグループの前記ＵＥ密度を重み付けする第１のパ
ラメータであり、
γが、前記各ＲＲＨグループの前記ＵＥ密度を重み付けする第２のパラメー
タであり、
βが、前記各ＲＲＨグループのタイムスタンプを重み付けする第３のパラメ
ータであり、
δが、前記各ＲＲＨグループのタイムスタンプを重み付けする第４のパラメ
ータであり、
Ｔｍｋが、前記各ＲＲＨグループからのＲＲＨグループｍにあるＵＥｋのタ
イムスタンプであり、
Ｐｍが、前記各ＲＲＨグループからの前記ＲＲＨグループのＵＥ密度であり
、
Ｔｍａｘが、前記各ＲＲＨグループのうち１つの前記タイムスタンプの最大
閾値である、
前記各ＲＲＨグループの前記選択ＲＲＨから参照信号（ＲＳ）信号を送信することと
を含む方法。
【請求項２】
前記ＲＳを送信する前記複数のＲＲＨグループの前記ＵＥの平均チャネル状態情報（ＣＳＩ）の更新間隔を、前記複数のＲＲＨグループの前記各グループの前記ＵＥ密度に従って変更する、請求項１に記載の方法。
【請求項３】
前記複数のＲＲＨグループの前記それぞれの前記ＵＥ密度が高くなるにつれ、前記ＲＳを送信するための前記複数のＲＲＨグループの前記それぞれの前記更新間隔が短くなる、請求項２に記載の方法。
【請求項４】
前記複数のＲＲＨグループの前記それぞれの前記ＵＥ密度が、前記複数のＲＲＨグループの前記それぞれに関連するＵＥの数として決定される、請求項１に記載の方法。
【請求項５】
基地局（ＣＢＳ）と、
複数のリモート無線ヘッド（ＲＲＨ）であって、前記ＲＲＨがそれぞれ複数のアンテナを備え、前記複数のＲＲＨがＣＢＳによって複数のグループに配置されるＲＲＨとを備え、
前記ＣＢＳが、参照信号（ＲＳ）を送出するために前記複数のＲＲＨグループのうち１つを選択し、前記選択が、
前記複数のＲＲＨグループのそれぞれについてユーザ機器（ＵＥ）密度を決定することと、
前記複数のＲＲＨグループから前記１つを、下式に従って選択することと、
【数２】
0005923004.tif 000004
ここで、αが前記各ＲＲＨグループの前記ＵＥ密度を重み付けする第１のパ
ラメータであり、
γが、前記各ＲＲＨグループの前記ＵＥ密度を重み付けする第２のパラメー
タであり、
βが、前記各ＲＲＨグループのタイムスタンプを重み付けする第３のパラメ
ータであり、
δが、前記各ＲＲＨグループのタイムスタンプを重み付けする第４のパラメ
ータであり、
Ｔｍｋが、前記各ＲＲＨグループからのＲＲＨグループｍにあるＵＥｋのタ
イムスタンプであり、
Ｐｍが、前記各ＲＲＨグループからの前記ＲＲＨグループのＵＥ密度であり
、
Ｔｍａｘが、前記各ＲＲＨグループのうち１つの前記タイムスタンプの最大
閾値である、
を含む処理に従って実行されるシステム。
【請求項６】
前記ＲＳを送信する前記複数のＲＲＨグループの前記ＵＥの平均チャネル状態情報（ＣＳＩ）の更新間隔を、前記複数のＲＲＨグループの前記各グループの前記ＵＥ密度に従って変更する、請求項５に記載のシステム。
【請求項７】
前記複数のＲＲＨグループの前記それぞれの前記ＵＥ密度が高くなるにつれ、前記ＲＳを送信するための前記複数のＲＲＨグループの前記それぞれの前記更新間隔が短くなる、請求項６に記載のシステム。
【請求項８】
前記複数のＲＲＨグループの前記それぞれの前記ＵＥ密度が、前記複数のＲＲＨグループの前記それぞれに関連するＵＥの数として決定される、請求項５に記載のシステム。
【請求項９】
基地局（ＣＢＳ）であって、
複数のリモート無線ヘッド（ＲＲＨ）を複数のグループに配置するプロセッサを備え、
前記ＣＢＳが参照信号（ＲＳ）を送出するために
前記複数のＲＲＨグループのそれぞれについてユーザ機器（ＵＥ）密度を決定することと、
前記複数のＲＲＨグループから１つを、下式に従って選択することと、
【数３】
0005923004.tif 000005
ここで、αが前記各ＲＲＨグループの前記ＵＥ密度を重み付けする第１のパ
ラメータであり、
γが、前記各ＲＲＨグループの前記ＵＥ密度を重み付けする第２のパラメー
タであり、
βが、前記各ＲＲＨグループのタイムスタンプを重み付けする第３のパラメ
ータであり、
δが、前記各ＲＲＨグループのタイムスタンプを重み付けする第４のパラメ
ータであり、
Ｔｍｋが、前記各ＲＲＨグループからのＲＲＨグループｍにあるＵＥｋのタ
イムスタンプであり、
Ｐｍが、前記各ＲＲＨグループからの前記ＲＲＨグループのＵＥ密度であり
、
Ｔｍａｘが、前記各ＲＲＨグループのうち１つの前記タイムスタンプの最大
閾である、
を含む処理に従って、前記複数のグループから１つのＲＲＨグループを選択する基地局（ＣＢＳ）。
【請求項１０】
前記ＲＳを送信する前記複数のＲＲＨグループの前記ＵＥの平均チャネル状態情報（ＣＳＩ）の更新間隔を、前記複数のＲＲＨグループの前記それぞれの前記ＵＥ密度に従って変更する、請求項９に記載のＣＢＳ。
【請求項１１】
前記複数のＲＲＨグループの前記それぞれの前記ＵＥ密度が高くなるにつれ、前記ＲＳを送信するための前記複数のＲＲＨグループの前記それぞれの前記更新間隔が短くなる、請求項１０に記載のＣＢＳ。
【請求項１２】
前記複数のＲＲＨグループの前記それぞれの前記ＵＥ密度が、前記複数のＲＲＨグループの前記それぞれに関連するＵＥの数として決定される、請求項９に記載のＣＢＳ。
【発明の詳細な説明】
【技術分野】
【０００１】
本発明は、概して、無線通信システムに関し、特に参照信号（ＲＳ）伝送方式に関する。
【背景技術】
【０００２】
ＬＴＥ（Long Term Evolution）／ＬＴＥ−Ａ（Long Term Evolution Advanced）及びユーザ機器（ＵＥ）チャネル状態情報（ＣＳＩ）フィードバックの説明。
【０００３】
通信システムでは、参照信号（ＲＳ）は送信機にてデータシンボルに埋め込まれた定義済みシンボルである。受信したＲＳに基づいて、受信機はチャネルを推定し、それに応じてリンク適応を実行できるように、チャネル状態情報（ＣＳＩ）を送信機にフィードバックすることができる。特にＬＴＥ／ＬＴＥ−Ａシステムの場合は、セル固有のＲＳ（ＣＲＳ）が時間周波数２次元格子に埋め込まれる。3GPP TS 36.211は、セル固有のＲＳ（ＣＲＳ）を実施するシステムの一例である。
【０００４】
Montojo他（米国特許公開第２０１０／００７５７０６Ａ１号）は、２つ以上のグループのユーザ機器（ＵＥ）に対応するアンテナポートを生成するシステム及び方法の例を示している。このようなシステムは、２つ以上のＵＥグループを組織し、２つ以上のＵＥグループごとに個々のアンテナポートを生成することができる。
【先行技術文献】
【特許文献】
【０００５】
【特許文献１】Montojo他、「Reference Signal Design for LTE-A」、米国特許出願公開第２０１０／００７５７０６号
【非特許文献】
【０００６】
【非特許文献１】3GPP TS 36.211 - 3rd Generation Partnership Project Technical Specification Group Radio Access Network Evolved Universal Terrestrial Radio Access (E-UTRA) Physical Channels and Modulation (Release 10), March 2011.
【発明の概要】
【発明が解決しようとする課題】
【０００７】
上記背景から、アンテナの総数が通常は多いので、アンテナごとにチャネルを推定するために、普通は、高いＲＳオーバヘッドが必要とされる。通信システムの技術に関連したこの問題を実質的に解消する新しいシステム及び方法が必要である。詳細には、良好なチャネル推定精度と低いシステムオーバヘッドの提供のバランスをとるＲＳ伝送方式を提供する必要がある。
【課題を解決するための手段】
【０００８】
本発明の態様は、一組のＲＲＨ内にある複数のリモート無線ヘッド（ＲＲＨ）グループごとにユーザ機器（ＵＥ）の密度を決定することと、ＵＥ密度に基づいて上記ＲＲＨグループのうち１つを選択することと、ＲＲＨグループのうち上記選択グループから参照信号（ＲＳ）信号を送信することとを含むことができる方法を含むことができる。
【０００９】
本発明の追加の態様は、複数のリモート無線ヘッド（ＲＲＨ）を複数のグループに配置するプロセッサを含む中央基地局（ＣＢＳ）を含むことができる。ＣＢＳは、処理に従って参照信号（ＲＳ）を送出するために、複数のグループからＲＲＨグループを選択する。処理は、リモート無線ヘッド（ＲＲＨ）のグループごとにユーザ機器（ＵＥ）密度を決定することと、ＵＥ密度に基づいて複数のＲＲＨグループのうち１つを選択することとを含むことができる。
【００１０】
本発明の追加の態様は、中央基地局（ＣＢＳ）及び複数のリモート無線ヘッド（ＲＲＨ）を含むシステムを含むことができる。ＲＲＨはそれぞれ、複数のアンテナを含み、複数のＲＲＨはＣＢＳによって複数のグループに配置される。ＣＢＳは、参照信号（ＲＳ）を送出するために上記複数のＲＲＨグループのうち１つを選択することができ、選択は、複数のＲＲＨグループごとにユーザ機器（ＵＥ）密度を決定することと、ＵＥ密度に基づいて複数のＲＲＨグループのうち１つを選択することとを含む処理に従って実行される。
【００１１】
分散アンテナシステム（ＤＡＳ）では、物理アンテナの数は通常、各セル内でＬＴＥ／ＬＴＥ−Ａ  ＲＳパターンによって支持されるアンテナポートのそれよりも大きい。様々な実施形態では、ＤＡＳのチャネル状態情報（ＣＳＩ）推定の精度が最適化されるように、ユーザ密度分布に基づいてＲＳを伝送するためにＲＲＨ（又はＲＲＨグループ）が動的にスケジュールされ、アンテナポートにマップされたＲＳ伝送方式が実施される。
【００１２】
上記及び下記の記載は両方とも例示及び説明のためのものに過ぎず、いかなる意味でも特許請求の範囲による本発明又はその適用を制限するものではないことを理解されたい。
【発明の効果】
【００１３】
本発明の実施形態は、下記の利点のうち少なくとも１つを提供するように設計されている。
Ａ）ＬＴＥ／ＬＴＥ−Ａセルラー規格に規定されたＲＳパターンを使用して、低いシステムオーバヘッド及びＬＴＥ／ＬＴＥ−Ａ互換性を提供する。
Ｂ）特に不均一なユーザ分布の場合に、ＤＡＳのチャネル推定精度を最適化する。
Ｃ）ＲＲＨ（又はＲＲＨグループ）の数が線形である低い計算量を提供する。
【図面の簡単な説明】
【００１４】
本明細書に組み込まれ、本明細書の一部を形成する添付図面は、本発明の実施形態を例示し、説明とともに本発明の技術の原理を説明し、例示する。
【図１（ａ）】ＬＴＥ／ＬＴＥ−Ａシステムの例示的なセル固有のＲＳパターンを示す。
【図１（ｂ）】ＬＴＥ／ＬＴＥ−Ａシステムの例示的なセル固有のＲＳパターンを示す。
【図１（ｃ）】ＬＴＥ／ＬＴＥ−Ａシステムの例示的なセル固有のＲＳパターンを示す。
【図１（ｄ）】ＬＴＥ／ＬＴＥ−Ａシステムの例示的なセル固有のＲＳパターンを示す。
【図２】例示的ラウンドロビンスケジューラを示す。
【図３】例示的分散アンテナシステム（ＤＡＳ）を示す。
【図４】例示的実施形態による中央基地局（ＣＢＳ）の例示的ブロック図を示す。
【図５】例示的実施形態による例示的複合チャネルを示す。
【図６】例示的実施形態を実施することができる不均一なＵＥ分布の例を示す。
【図７（ａ）】例示的実施形態による例示的フローチャートを示す。
【図７（ｂ）】例示的実施形態による例示的フローチャートを示す。
【図７（ｃ）】例示的実施形態による例示的フローチャートを示す。
【図８】例示的実施形態を実施することができる測定セットの例を示す。
【図９】例示的実施形態とラウンドロビン方式との性能比較を示す。
【図１０】例示的実施形態の劣化確率を示す。
【発明を実施するための形態】
【００１５】
例示的実施形態に関する以下の詳細な説明では、添付図面を参照するが、図では同一の機能要素を同様の数字で示す。上記添付図面は、本発明の原理に一致する特定の実施形態及び実施態様を例示によって示すものであり、制限的に示すものではない。これらの実施態様は、当業者が本発明を実践できるほど十分詳細に説明されており、他の実施態様も使用することができ、本発明の範囲及び精神から逸脱することなく、様々な要素の構造的変更及び／又は置換ができることを理解されたい。したがって、以下の詳細な説明は制限的な意味で解釈されるべきではない。さらに、記載される様々な実施形態は、汎用コンピュータ上で実行されるソフトウェアの形態で実施し、専門のハードウェア、又はソフトウェアとハードウェアの組合せの形態で１つ又は複数のプロセッサにより実行することができる。
【００１６】
実施形態は、チャネル推定精度とシステムオーバヘッドとの間の良好なバランスを達成するＬＴＥ／ＬＴＥ−Ａセルラー規格に規定されたＲＳパターンを使用することにより、ＲＳ伝送方式を利用する。
【００１７】
図１（ａ）〜図１（ｄ）は、格子内の時間１１１及び周波数１１０を利用して、例示的な時間周波数２次元格子１００、１０１、１０２及び１０３を示し、ここで、ＲｋはアンテナポートｋのＲＳを指し、Ｘのマークがあるリソースエレメント（ＲＥ）は伝送に使用されない。したがって、様々なアンテナポートのＲＳは相互に直交し（異なるアンテナのＲＳは異なる時間周波数グリッドを使用し）、ＬＴＥ／ＬＴＥ−Ａシステムでは限られた数のアンテナポートしか支持されない（ＬＴＥでは４個、ＬＴＥ−Ａでは８個）。「アンテナポート」という用語はＬＴＥ／ＬＴＥ−Ａ規格によるものであり、１つ又は複数の物理送信アンテナにマップされることに留意されたい。ＵＥはアンテナポートのチャネルを推定し、これは１つの物理アンテナのチャネル、又はアンテナポートにマップされた複数の物理アンテナの複合チャネルであってもよい。
【００１８】
このようなシステムは、２つ以上のＵＥグループを組織し、２つ以上のグループそれぞれに対して個々のアンテナポートの信号を送ることもできる。このようなシステムは、アンテナポートを識別するために、さらにマッピング情報、参照信号、又は線形結合に関連した遅延を通信することができる。各アンテナポートを識別するために、このように通信された情報に基づいて、参照信号を復号することができる。
【００１９】
ラウンドロビンスケジューラ
図２は、例示的ラウンドロビンスケジューラを示す。
【００２０】
図２でＲＲＨ１からＲＲＨ１６で表した１６のリモート無線ヘッド（ＲＲＨ）（各ＲＲＨは複数の送信アンテナを有する）、及び複数のＵＥ２０１があるセルを考慮してみるが、中央基地局（ＣＢＳ）はセル内の各ＲＲＨ−ＵＥ対のＣＳＩを知っている必要がある。ＬＴＥ／ＬＴＥ−Ａの仕様ではアンテナ、ポート及びＵＥのフィードバックに制限があるので、１回に１つのＲＲＨしかＲＳを伝送することができない。ここで、ＲＲＨが順にＲＳを伝送するラウンドロビンスケジューラ２００を使用することができる。したがって、ＲＲＨごとにＵＥにおけるＣＳＩをＮタイムスロットごとに更新することができ、ここで、Ｎはセル内のＲＲＨの数である。しかし、ラウンドロビンスケジューラは、均一なＵＥ分布のシナリオにしか適していない。
【００２１】
さらに、複数のＲＲＨ、すなわち、ダミーアンテナが領域内に均一に分散し、ＣＢＳによって制御される分散アンテナシステム（ＤＡＳ）で、参照信号（ＲＳ）の設計問題を考察する。各アンテナのチャネルを推定するためには、アンテナの総数が通常は大きいということから、高いＲＳオーバヘッドが必要である。
【００２２】
図３は、例示的実施形態による例示的分散アンテナシステム（ＤＡＳ）を示す。
【００２３】
それぞれが１つ又は複数のダミーアンテナを有する複数のＲＲＨ３０１が、オフィス空間などの地理領域に均一に展開され、セル３０３の範囲内に１つ又は複数のＵＥ３０２があるＤＡＳ３００を考察してみる。ＲＲＨ３０１は、信号の伝送及び受信のために光スイッチ３０４を介して中央基地局（ＣＢＳ）３０５に接続され、ＣＢＳに制御される。
【００２４】
図４は、ＣＢＳの例示的ブロック図を示す。
【００２５】
ＣＢＳはグループモジュール４０１、データモジュール４０２、ＲＳモジュール４０３、信号プロセッサ４０４、及びメモリ４０５を利用する。以下では、データ／ＲＳ伝送処理、さらに各ＣＢＳブロックの機能について説明する。
【００２６】
ＲＲＨは、ＲＳの設計及びデータ伝送を容易にするために、ＣＢＳグループモジュール４０１によってセルへとグループ化される。セルに関連するＵＥは、それとともにセル内のＲＲＨによってサービス提供される。セル公式は、データ伝送処理の前に予め決定するか、又はデータ伝送処理中にＵＥのスケジューリングとともに構成することができる。
【００２７】
データ伝送は、次第にフレームに分割される。各フレームで、ＣＢＳは、推定されたＣＳＩのＵＥフィードバックに基づき、各セル内のデータ伝送（データモジュール４０２によって制御される）用にＲＲＨ及びＵＥをスケジュールする。無線チャネルの時間で変動する特性があるので、特定のＲＲＨ（又はＲＲＨグループ）に関するＣＳＩ推定の精度は、ＵＥがＲＲＨ（又はＲＲＨグループ）からＲＳを受信する頻度に依存する。したがって、ＲＳの設計（ＲＳモジュール４０３によって制御される）は、効率的なＤＡＳを開発する際の鍵である。
【００２８】
ＲＳモジュール４０３は、データモジュール４０２からの測定セットの上方に基づいて、ＲＳ伝送方式を実行する。
【００２９】
信号プロセッサ４０４及びメモリ４０５は、データ及びＲＳ伝送のために信号処理を実行するモジュール４０２及び４０３のハードウェア側のサポートである。
【００３０】
以下では、ＤＡＳセルにおけるＲＳの設計に注目する。
【００３１】
ＤＡＳのセルにおけるＲＳの設計を考察してみる。Ｎ及びＮｔがそれぞれ、セル内のＲＲＨ、及び各ＲＲＨの送信アンテナの数を表すものとする。全てのＲＲＨのＣＳＩを入手するために、理想的には、Ｎ×Ｎｔ個のアンテナポートを支持することができる（すなわち、各ポートが特定の物理アンテナにマップされる）ＲＳパターンを設計する必要がある。
【００３２】
しかし、この理想的なＲＳの設計は、特にＮが大きい数字の場合に高いシステムオーバヘッドを生じる。ＲＳオーバヘッドを低減させるために、システムはＬＴＥ／ＬＴＥ−Ａ規格に規定されたＲＳパターンを使用し、これはＭ個（ＬＴＥではＭ＝４、ＬＴＥ−ＡではＭ＝８）のアンテナポートまでしか支持することができず、したがってシステムオーバヘッドが低い。しかし、アンテナポートの数が限られるので、理想的な場合のようなアンテナポートと物理アンテナとの１対１のマッピングを実行することが困難である。この問題に対処するために可能な２つの方法があり、それは以下のように説明される。
【００３３】
１つの方法は、各ＲＲＨグループが特定のＲＳアンテナポートにマップされるように、Ｎ個のＲＲＨをＭ個のグループにグループ化することである。この解決法の問題は、ＵＥが、各ＲＲＨのＣＳＩではなく、各ＲＲＨグループの複合チャネルのＣＳＩしか入手し、フィードバックすることができないことである。この種のＣＳＩは有用でないことがある。何故なら、１グループのＲＲＨはその後のデータ伝送で一緒にＵＥにサービス提供することができないからである。
【００３４】
図５（ａ）は、１つのＲＲＨ５０１に使用される４個のＲＳポート５０２、及びＵＥ５０５の例を示す。図５（ａ）に示すような例では、ＣＢＳはＣＳＩフィードバック５０４でアンテナポートのＣＲＳ及びＨ５０３の知識を入手することができ、それはチャネル品質インジケータ（ＣＱＩ）のフィードバック、事前符号化マトリクスインデックス（ＰＭＩ）フィードバック、及びランクインジケータ（ＲＩ）インデックスを含む。
【００３５】
図５（ｂ）は、２個のＲＲＨ５０１−１、５０１−２に使用される４つのＲＳポート５０２−１、５０２−２、及びＵＥ５０５の例を示す。図５（ｂ）に示すような例では、ＣＢＳはＨ１及びＨ２の複合チャネルのＣＳＩしか入手することができない。
【００３６】
別の方法は、毎回すべてのアンテナを使用しながらＲＳを伝送する１つのＲＲＨを割り当て、次第にＲＲＨを切り換えることである。ＣＢＳは、各ＲＲＨのＣＳＩを１つずつ入手し、最終的に全ＲＲＨのＣＳＩを入手することができる。この方式の欠点は、各ＲＲＨのＣＳＩ更新間隔が、セル内のＲＲＨの数とともに増大することである。システムは、ＵＥに対する平均ＣＳＩ更新間隔を最適化するが、それについては以下でさらに説明する。上記ラウンドロビンスケジューラは候補となることができ、これにより、ＵＥの分布を考慮せずにＮという平均ＣＳＩ更新間隔になる。
【００３７】
図６は、不均一なＵＥ分布の一例を示す。ＵＥが区域６００に不均一に分布している場合、（全数のＵＥにわたって）平均的なＣＳＩの更新間隔を小さくできるように、ＣＢＳは高いＵＥ密度６０１のＲＲＨのＣＳＩをより頻繁に更新しようとすることがある。それと同時に、低いＵＥ密度６０２のこれらのＲＲＨに対するＣＳＩの知識が常に有効である、すなわち、古くないことを保証するために、ＣＢＳは全ＲＲＨの更新間隔を特定の閾値未満に維持する必要がある。次のセクションでは、以上の２つの態様の良好なバランスをとる方式について説明する。特定のＲＲＨ（又はＲＲＨグループ）の密度は、例えば以下で説明するようにそれに関連するＵＥの数として決定される。システムは、全ＲＲＨの更新間隔が高い確率で特定の予め画定された閾値より低いという制約の下で、ＵＥの平均ＣＳＩ更新間隔を最小化するように、ＲＳを送信するセルのＲＲＨのスケジューリング方式を使用することができる。したがって、ＲＲＨグループのＵＥ密度が高くなるにつれ、更新間隔が小さくなる。
【００３８】
図７（ａ）〜図７（ｃ）は、例示的実施形態を実施する例示的フローチャートを示す。以下で、各ステップを詳細に説明する。
【００３９】
ステップＳ７０１：ＣＢＳデータモジュール４０２が測定セットＳを決定する。測定セットとは、ＲＲＨ又はＲＲＨグループで構成されたセットであり、全ＵＥについてそのＣＳＩをデータ伝送するＣＢＳにて知る必要がある。測定セットは、データ伝送処理の開始時に予め決定するか、データ伝送処理中にＣＢＳデータモジュールがリアルタイムで更新することができる。そのセットの各ＲＲＨ又はＲＲＨグループがチャネル推定のためにＲＳアンテナポートを使用する必要があるように、測定セットが選択されることに留意されたい。
【００４０】
ステップＳ７０１の後、ＣＢＳのＲＳモジュール４０３は以下のステップを実行する。
【００４１】
ステップＳ７０２：測定セットの全ＲＲＨ（又はＲＲＨグループ）について、タイムスタンプをゼロになるように初期化する。
【００４２】
ステップＳ７０３：式（１）に示すようにシステムパラメータα、β、γ、及びδを初期化するが、これは性能を最適化するために適切に選択する必要がある。測定セットＳのＲＲＨ（又はＲＲＨグループ）について最大許容ＣＱＩ更新間隔Ｔｍａｘを設定する。また、すべてのｍ＝１，２，．．．，Ｍ及びｋ＝１，２，．．．，Ｋについて、タイムスタンプＴｍｋを設定するが、ここで、Ｍ及びＫはそれぞれ、測定セットＳのサイズ及びＵＥの総数である。
【００４３】
ステップＳ７０４：最終フレームまで各フレームのループを実行する（合計Ｔ個のフレーム）。
【００４４】
ステップＳ７０５：ＲＲＨグループを選択する。ＲＲＨグループは、図７（ｃ）に示す処理に基づいて選択することができる。
【００４５】
ステップＳ７０５−１：測定セットにある各ＲＲＨ（又はＲＲＨグループ）のＵＥ密度、すなわち、各ＲＲＨ（又はＲＲＨグループ）に関連するＵＥの数を決定する。ＣＢＳは各ＲＲＨ（ＲＲＨグループ）のＵＥ密度を以下のように追跡できることに留意されたい。すなわち、ＣＢＳが各ＲＲＨ（ＲＲＨグループ）にて各ＵＥのアップリンク受信電力を監視し、次にＵＥが最高受信電力のＲＲＨ（ＲＲＨグループ）に関連すると仮定することにより、各ＲＲＨ（ＲＲＨグループ）に関連するＵＥの数を更新する。Ｐｍが測定セットＳのｍ番目のＲＲＨ（又はＲＲＨグループ）のＵＥ密度を表すものとする。
【００４６】
ステップＳ７０５−２：ＵＥのフィードバックに基づいて測定セットの各ＲＲＨ−ＵＥ（又はＲＲＨグループ−ＵＥ）対のタイムスタンプを更新する。ＣＢＳが測定セットＳのｍ番目のＲＲＨ（又はＲＲＨグループ）についてｋ番目のＵＥからＣＳＩのフィードバックを受信している場合は、Ｔｍｋ＝０と設定し、その他の場合はＴｍｋ＝Ｔｍｋ＋１と設定する。
【００４７】
ステップＳ７０５−３：下式に従って測定セットから測定セットＳのｍ＊番目のＲＲＨ（又はＲＲＨグループ）を取り出し、選択されたＲＲＨ（又はＲＲＨグループ）を通してＲＳを送信する。
【数１】
0005923004.tif 000002
【００４８】
ステップＳ７０６：ＣＢＳデータモジュール４０２がループカウンタを増分する。
【００４９】
ステップＳ７０７：ＤＢＳデータモジュール４０２がループを終了する。
【００５０】
図８は、測定セットの一例を示す。
【００５１】
図８に示すように、ＲＲＨ１からＲＲＨ１６とのラベルと付けた１６個のＲＲＨがあるセルの例を考察してみる。基本的な測定セットはＳ＝｛ＲＲＨ１，ＲＲＨ２，．．．，ＲＲＨ１６｝であり、ＣＢＳにて全ＲＲＨ−ＵＥ対のＣＱＩを知る必要がある。ＣＢＳデータモジュールは、
Ｓ＝｛｛ＲＲＨ１，ＲＲＨ２，ＲＲＨ５，ＲＲＨ６｝，｛ＲＲＨ１１，ＲＲＨ１２，ＲＲＨ１５，ＲＲＨ１６｝，｛ＲＲＨ３，ＲＲＨ４｝｛ＲＲＨ７，ＲＲＨ８｝，｛ＲＲＨ９，ＲＲＨ１３｝，｛ＲＲＨ１０，ＲＲＨ１４｝｝も設定することができ、すなわち、６個のＲＲＨグループ（この場合はＧ１からＧ６）の複合チャネルのＣＱＩしか必要ではない。
【００５２】
グループは、グループモジュール４０１による任意のＲＲＨクラスタリングアルゴリズムによって決定することができる。しかし、実施の複雑さを最低にして達成可能なＵＥの率を上昇させるために、結合ＵＥスケジューリング及びクラスタリングアルゴリズムを使用することが好ましい。一例は、プロポーショナルフェア型スケジューリングメトリクスの値が低減するユーザの順序に従ってスケジュールし、ＵＥの順序に従ってスケジュールされているＵＥごとに、以前に取り上げられていなかった最初のＮ個のＲＲＨを（スケジュールされているＵＥに対する信号強度が低減する順序で）取り上げて、スケジュールされているＵＥについてサイズＮのクラスタを形成する。例えばＲＲＨは、各ＵＥ、ＵＥ（ｉ）に対するベクトルＳ（ｉ，ｊ）として信号強度が低減する順序で順序付けることができ、ここで、信号強度の低減する順序で、ｉは１からＵＥの総数Ｋに等しく、ｊは１からＲＲＨの総数に等しい。クラスタごとに最初のＮ個のＲＲＨを取り上げることにより、各ＵＥが特定のクラスタに確実に結合されるようにしながら、効率的なグルーピング方法が可能になる。
【００５３】
例示的実施形態の実施の性能を、平均ＣＳＩ更新間隔及び劣化確率に関してラウンドロビン方式と比較する。劣化事象は、任意のＲＲＨ−ＵＥ対（又はＲＲＨグループ−ＵＥ対）の更新間隔が所与の閾値Ｔｍａｘより大きい場合に生じる。劣化確率の低下は性能の向上を意味する。シミュレーションでは、セル内の全ＲＲＨを含む基本的な測定セットを使用する。Ｎ及びＫがそれぞれセル内のＲＲＨ及びＵＥの数を表すものとし、ここでは、Ｋ＝１０Ｎと設定する。ＵＥは、ＲＲＨの２５％が密度ｄ１のＵＥに関連し、ＲＲＨの７５％が密度ｄ２、ここでｄ1＝１０ｄ2、のＵＥと関連するような方法で、セル内に均一に導入される。閾値Ｔｍａｘは１．２Ｎになるように設定され、ここで、Ｎはセルサイズである。他のシミュレーションパラメータは以下のように設定される。すなわち、α＝１、β＝０．００１３、γ＝１．５、及びδ＝１ｅ−１０である。
【００５４】
図９は、コンピュータシミュレーション９００から、実施形態の例示的実施とラウンドロビン方式との性能比較を示す。提案される方式の平均ＣＳＩ更新間隔９０１を、様々な値のセルサイズ９０２についてラウンドロビン方式のそれと比較する。例示的実施は、ラウンドロビン方式と比較して、ほぼ２０％低い平均ＣＳＩ更新間隔を達成することができる（低いほど良好である）。ＵＥは、平均ＣＳＩ更新間隔が低くなるほど、より正確にＣＳＩを推定し、ＣＢＳにフィードバックすることができる。
【００５５】
図１０は、実施形態１０００の例示的実施の劣化確率を示す。劣化確率１００１は、様々な値のセルサイズ１００２にわたってプロットされる。図１０は、全セルサイズで劣化確率が０．０５より低く、大きいセルサイズでは無視できることを示す。ラウンドロビン方式の劣化確率は、この例示的実施のＴｍａｘの構成では常にゼロであることに留意されたい。
【００５６】
ＵＥが均一に分布している場合は、このシナリオでは測定セットにおけるＲＲＨのＵＥ密度が同じであるので、ラウンドロビン方式と同じ性能を有する。
【００５７】
最後に、詳細な説明の一部を、コンピュータ内の演算のアルゴリズム及びシンボル表現に関して紹介する。これらのアルゴリズム記述及びシンボル表現は、データ処理技術の当業者が他の当業者にその革新の本質を最も効果的に伝達するために使用する手段である。アルゴリズムは、所望の最終状態又は結果に至る一連の画定されたステップである。本発明では、実行されるステップは、具体的な結果を達成するために具体的な量の物理的操作を必要とする。
【００５８】
他に明記されていない限り、上記説明から明白であるように、説明の全体で「処理する」、「演算処理する」、「計算する」、「決定する」、「表示する」などの用語を使用する説明は、コンピュータの、又はコンピュータシステムのレジスタ及びメモリ内で物理（電子）量として表されるデータを操作し、コンピュータシステムのメモリ又はレジスタ又は他の情報記憶、伝送又は表示デバイス内で同様に物理量として表される他のデータに変換する他の情報処理デバイスの動作及び処理を含むことができることが理解される。
【００５９】
本発明は、また、本明細書の演算を実行する装置にも関する。この装置は、必要とされる目的に合わせて専門に構築するか、又は１つ又は複数のコンピュータプログラムによって選択的に作動又は再構成される１つ又は複数の汎用コンピュータを含むことができる。このようなコンピュータプログラムは、光ディスク、磁気ディスク、読み取り専用メモリ、ランダムアクセスメモリ、固体デバイス及びドライブ、又は電子情報を記憶するのに適切な任意の他のタイプの媒体などであるが、それに限定されないコンピュータ可読記憶媒体に記憶することができる。本明細書で紹介するアルゴリズム及び表示は、いかなる特定のコンピュータ又は他の装置にも本質的に関連するものではない。
【００６０】
様々な汎用システムを、本明細書の教示によるプログラム及びモジュールで使用することができるが、所望の方法のステップを実行するために、さらに専門的な装置を構築することが便利であると証明されることもある。また、本発明はいかなる特定のプログラミング言語に関して説明するものではない。様々なプログラミング言語を使用して、本明細書で述べるような本発明の教示を実施できることが理解される。プログラミング言語の命令は、１つ又は複数の処理デバイス、例えば中央演算処理装置（ＣＰＵ）、プロセッサ、又は制御装置によって実行することができる。
【００６１】
当技術分野で知られているように、上記演算は、ハードウェア、ソフトウェア、又はソフトウェアとハードウェアの何らかの組合せによって実行することができる。本発明の実施形態の様々な態様は、回路及び論理デバイス（ハードウェア）を使用して実施することができる一方、他の態様は、機械可読媒体（ソフトウェア）に記憶された命令を使用して実施することができ、これがプロセッサによって実行されると、プロセッサに本発明の実施形態を実行する方法を実行させる。さらに、本発明の幾つかの実施形態は、ハードウェア内で単独で実行することができ、他の実施形態は、ソフトウェアで単独で実行することができる。さらに、本明細書で述べた様々な機能は１つのユニット内で実行するか、又は任意の数の方法で幾つかのコンポーネントに分配することができる。ソフトウェアで実行する場合、方法は、コンピュータ可読媒体に記憶された命令に基づいて、汎用コンピュータなどのプロセッサによって実行することができる。所望に応じて、命令は圧縮及び／又は暗号化したフィーマットで媒体に記憶することができる。
【００６２】
さらに、本発明の他の実施態様は、本明細書の考察及び本明細書で開示された本発明の実践から当業者には明白になる。記載された実施形態の様々な態様及び／又はコンポーネントは、通信システム内で単独に、又は任意の組合せで使用することができる。本明細書及び例は例示にすぎないと見なし、本発明の真の範囲及び精神は特許請求の範囲によって示されるものとする。
【符号の説明】
【００６３】
１００，１０１，１０２，１０３  ２次元格子
１１０  周波数
１１１  時間
２００  ラウンドロビンスケジューラ
２０１  ＵＥ
３００  ＤＡＳ
３０１  ＲＲＨ
３０２  ＵＥ
３０３  セル
３０４  光スイッチ
３０５  中央基地局（ＣＢＳ）
４０１  グループモジュール
４０２  データモジュール
４０３  ＲＳモジュール
４０４  信号プロセッサ
４０５  メモリ
５０１  ＲＲＨ
５０２  ＲＳポート
５０３  Ｈ
５０４  ＣＳＩフィードバック
５０５  ＵＥ
６００  区域
６０１  高いＵＥ密度
６０２  低いＵＥ密度
【図１（ａ）】
0005923004.tif 000006
【図１（ｂ）】
0005923004.tif 000007
【図１（ｃ）】
0005923004.tif 000008
【図１（ｄ）】
0005923004.tif 000009
【図２】
0005923004.tif 000010
【図３】
0005923004.tif 000011
【図４】
0005923004.tif 000012
【図５】
0005923004.tif 000013
【図６】
0005923004.tif 000014
【図７（ａ）】
0005923004.tif 000015
【図７（ｂ）】
0005923004.tif 000016
【図７（ｃ）】
0005923004.tif 000017
【図８】
0005923004.tif 000018
【図９】
0005923004.tif 000019
【図１０】
0005923004.tif 000020